(57)【要約】【課題】適切な強度で医用画像データを暗号化することができる医用画像保管装置及びその制御方法を提供すること。【解決手段】実施形態の医用画像保管装置は、特定部と、決定部と、暗号化部とを備える。特定部は、被検体の年齢に基づいて、該被検体の医用画像データを暗号化して保持する期間を特定する。決定部は、前記特定部により特定された期間に応じて、暗号化の強度を決定する。暗号化部は、前記決定部により決定された強度に対応するアルゴリズムを用いて前記医用画像データを暗号化する。【選択図】図１
2014138212.tif 000002
【特許請求の範囲】
【請求項１】
被検体の年齢に基づいて、該被検体の医用画像データを暗号化して保持する期間を特定する特定部と、
前記特定部により特定された期間に応じて、暗号化の強度を決定する決定部と、
前記決定部により決定された強度に対応するアルゴリズムを用いて前記医用画像データを暗号化する暗号化部と、
を備えたことを特徴とする医用画像保管装置。
【請求項２】
時間の経過に伴うコンピュータの演算処理性能の向上を予測した性能予測データを記憶する記憶部を更に備え、
前記決定部は、前記性能予測データを参照し、前記特定部により特定された期間内に向上しうる演算処理性能で復号が不可能な暗号化の強度を決定する
ことを特徴とする請求項１に記載の医用画像保管装置。
【請求項３】
前記記憶部によって記憶される性能予測データは、所定の期間ごとに更新され、
前記決定部は、前記所定の期間が経過した後に、更新された前記性能予測データを参照し、前記特定部により特定された期間内に向上しうる演算処理性能で復号不可能な強度を決定する
ことを特徴とする請求項２に記載の医用画像保管装置。
【請求項４】
前記特定部は、所定の期間が経過した後に、該経過した期間と前記保持する期間とに基づいて、前記被検体の医用画像データを暗号化して保持する期間を再度特定し、
前記決定部は、前記特定部により再度特定された期間に応じて、暗号化の強度を再度決定し、
前記暗号化部は、前記決定部により再度決定された強度に対応するアルゴリズムを用いて前記医用画像データを暗号化する
ことを特徴とする請求項１〜３のいずれか一つに記載の医用画像保管装置。
【請求項５】
前記記憶部は、年齢区分と保持期間とを対応付けた保持年数データを更に記憶し、
前記特定部は、前記保持年数データを参照して、前記被検体の年齢が属する年齢区分に対応する保持期間を、医用画像データを暗号化して保持する期間に特定することを特徴とする請求項１〜４のいずれか一つに記載の医用画像保管装置。
【請求項６】
前記記憶部は、平均寿命を示す平均寿命データを更に記憶し、
前記特定部は、前記平均寿命データを参照して、前記平均寿命から前記被検体の年齢を減算した期間を、該被検体の医用画像データを暗号化して保持する期間に特定することを特徴とする請求項１〜４のいずれか一つに記載の医用画像保管装置。
【請求項７】
医用画像保管装置が、
被検体の年齢に基づいて、該被検体の医用画像データを暗号化して保持する期間を特定し、
特定された期間に応じて、暗号化の強度を決定し、
決定された強度に対応するアルゴリズムを用いて前記医用画像データを暗号化する
ことを含んだことを特徴とする医用画像保管装置の制御方法。
【発明の詳細な説明】
【技術分野】
【０００１】
本発明の実施形態は、医用画像保管装置及びその制御方法に関する。
【背景技術】
【０００２】
従来、医用画像データは、個人情報保護の観点から、暗号化された状態で医用画像保管装置に保存される。また、医用画像データは、データの種類を問わず同じ強度のアルゴリズムで暗号化される。この一方で、患者の年齢に応じて医用画像データを保存する期間が異なる。また、暗号が破られないように暗号化の強度を強めた場合、暗号化は複雑になり、医用画像データの暗号化及び復号化に時間がかかる。
【先行技術文献】
【特許文献】
【０００３】
【特許文献１】特開２００２−１９０７９８号公報
【特許文献２】特開２００６−３１９４１７号公報
【特許文献３】特開２００７−３６４４８号公報
【発明の概要】
【発明が解決しようとする課題】
【０００４】
本発明が解決しようとする課題は、適切な強度で医用画像データを暗号化することができる医用画像保管装置及びその制御方法を提供することである。
【課題を解決するための手段】
【０００５】
実施形態の医用画像保管装置は、特定部と、決定部と、暗号化部とを備える。特定部は、被検体の年齢に基づいて、該被検体の医用画像データを暗号化して保持する期間を特定する。決定部は、前記特定部により特定された期間に応じて、暗号化の強度を決定する。暗号化部は、前記決定部により決定された強度に対応するアルゴリズムを用いて前記医用画像データを暗号化する。
【図面の簡単な説明】
【０００６】
【図１】図１は、第１の実施形態に係る医用画像保管装置の構成の一例を示す図である。
【図２】図２は、保持年数特定テーブルが記憶する情報の一例を示す図である。
【図３】図３は、暗号化アルゴリズム決定テーブルが記憶する情報の一例を示す図である。
【図４】図４は、保持画像情報テーブルが記憶する情報の一例を示す図である。
【図５】図５は、第１の実施形態に係る医用画像保管装置による処理手順の一例を示すフローチャートである。
【図６】図６は、第２の実施形態に係る医用画像保管装置の構成の一例を示す図である。
【図７】図７は、平均寿命テーブルが記憶する情報の一例を示す図である。
【図８】図８は、性能向上率予測テーブルが記憶する情報の一例を示す図である。
【図９】図９は、暗号化アルゴリズム決定テーブルが記憶する情報の一例を示す図である。
【図１０】図１０は、第２の実施形態に係る医用画像保管装置による処理手順の一例を示すフローチャートである。
【発明を実施するための形態】
【０００７】
以下、図面を参照して、実施形態に係る医用画像保管装置及びその制御方法を説明する。なお、各実施形態は、処理内容を矛盾させない範囲で適宜組み合わせることが可能である。
【０００８】
（第１の実施形態）
図１は、第１の実施形態に係る医用画像保管装置１００の構成の一例を示す図である。図１に示すように、第１の実施形態に係る医用画像保管装置１００は、通信制御インターフェース部１０１と、記憶部１１０と、制御部１２０とを有する。なお、第１の実施形態に係る医用画像保管装置１００は、図示しない医用画像診断装置とＬＡＮ（Local  Area  Network）等のネットワークを介して接続される。
【０００９】
通信制御インターフェース部１０１は、例えば、ＮＩＣ（Network  Interface  Card）等であり、他の装置との間で通信を行う。
【００１０】
記憶部１１０は、例えば、ハードディスク、半導体メモリ素子等であり、各種情報を記憶する。例えば、記憶部１１０は、保持年数特定テーブル１１１と、暗号化アルゴリズム決定テーブル１１２と、保持画像情報テーブル１１３と、暗号化医用画像データＤＢ（Data  Base）１１４とを有する。
【００１１】
保持年数特定テーブル１１１は、被検体の年齢に基づいて、この被検体の医用画像データを暗号化して保持する期間を特定する情報を記憶する。図２は、保持年数特定テーブル１１１が記憶する情報の一例を示す図である。図２に示すように、保持年数特定テーブル１１１は、「年齢区分」と、「保持年数」とを対応付けた情報を記憶する。
【００１２】
ここで、保持年数特定テーブル１１１が記憶する「年齢区分」は、被検体の年齢が属する区分を示す。例えば、「年齢区分」には、「２０歳以下」、「２０歳−６０歳」等のデータ値が格納される。
【００１３】
また、保持年数特定テーブル１１１が記憶する「保持年数」は、医用画像データを保持する年数を示す。例えば、「保持年数」には、「３０年」、「２０年」等のデータ値が格納される。
【００１４】
一例をあげると、図２に示す保持年数特定テーブル１１１は、被検体の年齢が２０歳以下である場合、この被検体の医用画像データを３０年保持することを示す。
【００１５】
暗号化アルゴリズム決定テーブル１１２は、医用画像データを保持する年数に応じた暗号化の強度と、暗号化アルゴリズムとを対応付けた情報を記憶する。図３は、暗号化アルゴリズム決定テーブル１１２が記憶する情報の一例を示す図である。図３に示すように、暗号化アルゴリズム決定テーブル１１２は、「保持年数」と、「強度」と、「アルゴリズム」とを対応付けた情報を記憶する。
【００１６】
ここで、暗号化アルゴリズム決定テーブル１１２が記憶する「保持年数」は、図２に示す保持年数特定テーブル１１１が記憶する「保持年数」に対応する。また、暗号化アルゴリズム決定テーブル１１２が記憶する「強度」は、暗号化の強度を示す。例えば、「強度」には、「Ｘ」、「Ｙ」等のデータ値が格納される。ここで、強度は、医用画像データを保持する年数が長くなるほど、暗号化の強度を高くするように設定される。例えば、強度は、「Ｘ」よりも「Ｙ」の方が高く、「Ｙ」よりも「Ｚ」の方が高い。
【００１７】
また、暗号化アルゴリズム決定テーブル１１２が記憶する「アルゴリズム」は、「強度」で示される暗号化の強度で暗号化するためのアルゴリズムの種別を示す。例えば、「アルゴリズム」には、「Ａ」、「Ｂ」等のデータ値が格納される。
【００１８】
一例をあげると、図３に示す暗号化アルゴリズム決定テーブル１１２は、医用画像データを保持する年数が５年である場合、暗号化の強度がＸであるアルゴリズムＡを用いて、医用画像データを暗号化することを示す。
【００１９】
また、図３に示す暗号化アルゴリズム決定テーブル１１２は、医用画像データを保持する年数が３０年である場合、暗号化の強度がＺであるアルゴリズムＣを用いて、医用画像データを暗号化することを示す。
【００２０】
保持画像情報テーブル１１３は、医用画像データを保持する条件に関する情報を記憶する。図４は、保持画像情報テーブル１１３が記憶する情報の一例を示す図である。図４に示すように、保持画像情報テーブル１１３は、「画像ＩＤ」と、「アドレス」と、「保管開始年月日」と、「保持年数」と、「アルゴリズム」とを対応付けた情報を記憶する。
【００２１】
ここで、保持画像情報テーブル１１３が記憶する「画像ＩＤ」は、医用画像データの識別子を示す。例えば、「画像ＩＤ」には、「１０００１」、「１１３０５」等のデータ値が格納される。
【００２２】
また、保持画像情報テーブル１１３が記憶する「アドレス」は、記憶部１１０において医用画像データが格納されるアドレスを示す。例えば、「アドレス」には、「ｘｘｘｘ」、「ｙｙｙｙ」等のデータ値が格納される。
【００２３】
また、保持画像情報テーブル１１３が記憶する「保管開始年月日」は、医用画像データが記憶部１１０に格納された年月日を示す。例えば、「保管開始年月日」には、「２０１０／０２／０５」、「２０１２／０１／３０」等のデータ値が格納される。
【００２４】
なお、保持画像情報テーブル１１３が記憶する「保持年数」及び「アルゴリズム」は、図３に示す暗号化アルゴリズム決定テーブル１１２が記憶する「保持年数」及び「アルゴリズム」に各々対応する。
【００２５】
一例をあげると、図４に示す保持画像情報テーブル１１３は、画像ＩＤが「１０００１」で識別される医用画像データは、保持年数が５年であり、アルゴリズムがＡで暗号化され、記憶部１１０のアドレスがｘｘｘｘに２０１０年２月５日に格納されたことを示す。
【００２６】
暗号化医用画像データＤＢ１１４は、画像ＩＤと対応付けて暗号化された状態で医用画像データを記憶する。
【００２７】
図１に戻り、制御部１２０は、例えばＣＰＵ（Central  Processing  System）等であり、医用画像保管装置１００が実行する各種処理を制御する。例えば、制御部１２０は、特定部１２１と、決定部１２２と、暗号化部１２３と、記憶制御部１２４とを有する。
【００２８】
特定部１２１は、被検体の年齢に基づいて、該被検体の医用画像データを暗号化して保持する期間を特定する。例えば、特定部１２１は、医用画像データに含まれる付帯情報から被検体の年齢を特定する。そして、特定部１２１は、保持年数特定テーブル１１１を参照し、特定した被検体の年齢が属する年齢区分に対応する保持年数を、医用画像データを暗号化して保持する期間に特定する。具体的には、特定部１２１は、被検体の年齢が４０歳であると特定した場合、図２に示す保持年数特定テーブル１１１から、保持年数を２０年に特定する。
【００２９】
決定部１２２は、特定部１２１により特定された期間に応じて、暗号化の強度を決定する。例えば、決定部１２２は、暗号化アルゴリズム決定テーブル１１２を参照し、特定部１２１により特定された保持年数に対応する強度を暗号化の強度に決定する。具体的には、決定部１２２は、保持年数が２０年であると特定された場合、図３に示す暗号化アルゴリズム決定テーブル１１２から、暗号化の強度を「Ｙ」に決定する。
【００３０】
暗号化部１２３は、決定部１２２により決定された強度に対応するアルゴリズムを用いて医用画像データを暗号化する。例えば、暗号化部１２３は、暗号化アルゴリズム決定テーブル１１２を参照し、決定部１２２により決定された暗号化の強度に対応するアルゴリズムを特定し、特定したアルゴリズムを用いて医用画像データを暗号化する。具体的には、暗号化部１２３は、暗号化の強度が「Ｙ」であると決定された場合、図３に示す暗号化アルゴリズム決定テーブル１１２から、暗号化のアルゴリズムを「Ｂ」に特定する。そして、暗号化部１２３は、アルゴリズム「Ｂ」を用いて医用画像データを暗号化する。
【００３１】
記憶制御部１２４は、暗号化部１２３により暗号化された医用画像データを画像ＩＤと対応付けて、暗号化医用画像データＤＢ１１４に格納させる。
【００３２】
また、記憶制御部１２４は、医用画像データについて、保持する期間と暗号化のアルゴリズムとを対応付けた情報を生成し、保持画像情報テーブル１１３に格納させる。例えば、記憶制御部１２４は、「画像ＩＤ」と、「アドレス」と、「保管開始年月日」と、「保持年数」と、「アルゴリズム」とを対応付けた情報を生成し、保持画像情報テーブル１１３に格納させる。
【００３３】
次に、図５を用いて、第１の実施形態に係る医用画像保管装置１００による処理手順を説明する。図５は、第１の実施形態に係る医用画像保管装置１００による処理手順の一例を示すフローチャートである。第１の実施形態に係る医用画像保管装置１００は、例えば、医用画像診断装置から医用画像データを受信した場合に、以下の処理を実行する。
【００３４】
特定部１２１は、医用画像データの付帯情報に含まれる生年月日から被検体の年齢を推定する（ステップＳ１０１）。そして、特定部１２１は、推定した年齢に応じて、医用画像データを保持する年数を特定する（ステップＳ１０２）。
【００３５】
続いて、決定部１２２は、特定した保持する年数から暗号化の強度を決定する（ステップＳ１０３）。そして、暗号化部１２３は、画像データを暗号化する（ステップＳ１０４）。また、記憶制御部１２４は、暗号化した医用画像データを暗号化医用画像データＤＢ１１４に格納させる（ステップＳ１０５）。
【００３６】
上述したように、第１の実施形態によれば、被検体の年齢に応じて医用画像データを保持する年数を決定し、医用画像データを保持する年数が長くなるほど、暗号化の強度を高くする。これにより、例えば、保持する年数が長い場合、暗号化の強度を高くすることで復号にかかる時間が長くなり、保持する年数の間の復号が不可能となる。また、例えば、保持する年数が短い場合、暗号化の強度を低くすることで医用画像データの暗号化及び復号化にかかる時間を低減できる。したがって、第１の実施形態によれば、被検体の年齢に基づいて、適切な強度で医用画像データを暗号化することができる。
【００３７】
なお、特定部１２１、決定部１２２及び暗号化部１２３は、以下の機能を有するようにしてもよい。例えば、特定部１２１は、所定の期間が経過した後に、経過した期間と特定した保持する期間とに基づいて、被検体の医用画像データを暗号化して保持する期間を再度特定する。そして、決定部１２２は、特定部１２１により再度特定された期間に応じて、暗号化の強度を再度決定する。そして、暗号化部１２３は、決定部１２２により再度決定された強度に対応するアルゴリズムを用いて医用画像データを暗号化する。
【００３８】
（第２の実施形態）
第２の実施形態では、被検体の年齢に基づいて特定した医用画像データを保持する期間内に向上しうるコンピュータの演算処理性能で復号不可能な強度を決定し、医用画像データを暗号化する医用画像保管装置について説明する。
【００３９】
図６は、第２の実施形態に係る医用画像保管装置２００の構成の一例を示す図である。図６に示すように、第２の実施形態に係る医用画像保管装置２００は、通信制御インターフェース部１０１と、記憶部２１０と、制御部２２０とを有する。なお、ここでは、図１に示した各部と同じ機能を有する部については、同じ符号を付与することとしてその詳細な説明を省略する。
【００４０】
記憶部２１０は、例えば、ハードディスク、半導体メモリ素子等であり、各種情報を記憶する。例えば、記憶部２１０は、平均寿命テーブル２１１と、性能向上率予測テーブル２１２と、暗号化アルゴリズム決定テーブル２１３と、保持画像情報テーブル１１３と、暗号化医用画像データＤＢ１１４とを有する。
【００４１】
平均寿命テーブル２１１は、各国ごとに性別と平均寿命とを対応付けた情報を記憶する。図７は、平均寿命テーブル２１１が記憶する情報の一例を示す図である。図７に示すように、平均寿命テーブル２１１は、「国」と、「性別」と、「寿命」とを対応付けた情報を記憶する。
【００４２】
ここで、平均寿命テーブル２１１が記憶する「国」は、国名を示す。例えば、「国」には、「日本」等のデータ値が格納される。
【００４３】
また、平均寿命テーブル２１１が記憶する「性別」は、男性または女性のいずれであるかを示す情報を示す。例えば、「性別」には、「男性」、「女性」等の値が格納される。また、平均寿命テーブル２１１が記憶する「寿命」は、平均寿命を示す。例えば、「寿命」には、「７９」、「８６」等のデータ値が格納される。
【００４４】
一例をあげると、図７に示す平均寿命テーブル２１１は、日本の男性の平均寿命が７９歳であることを示し、日本の女性の平均寿命が８６歳であることを示す。
【００４５】
性能向上率予測テーブル２１２は、時間の経過に伴うコンピュータの演算処理性能の向上を予測した情報を記憶する。図８は、性能向上率予測テーブル２１２が記憶する情報の一例を示す図である。図８に示すように、性能向上率予測テーブル２１２は、「経過年数」と、「クラック性能」とを対応付けた情報を記憶する。
【００４６】
ここで、性能向上率予測テーブル２１２が記憶する「経過年数」は、現時点からの経過年数を示す。例えば、「経過年数」には、現時点を含む同年内を示す「０」、１年後を示す「１」、２年後を示す「２」等のデータ値が格納される。
【００４７】
また、性能向上率予測テーブル２１２が記憶する「クラック性能」は、経過年数内に向上しうる演算処理性能を示し、所定の単位期間内に繰り返し実行可能な復号処理の回数を示す。例えば、「クラック性能」には、「１０５」、「２×１０５」等のデータ値が格納される。なお、このクラック性能は、例えば、ムーアの法則を用いて予測される。
【００４８】
一例をあげると、図８に示す性能向上率予測テーブル２１２は、演算処理装置の現時点の演算処理性能は、１０５であることを示す。同様に、図８に示す性能向上率予測テーブル２１２は、演算処理装置の１年後の演算処理性能は、２×１０５に向上することを予測する。
【００４９】
暗号化アルゴリズム決定テーブル２１３は、クラック性能に対して暗号化を解読させない強度のアルゴリズムを示す情報を記憶する。図９は、暗号化アルゴリズム決定テーブル２１３が記憶する情報の一例を示す図である。図９に示すように、暗号化アルゴリズム決定テーブル２１３は、「クラック値」と、「強度」と、「アルゴリズム」とを対応付けた情報を記憶する。
【００５０】
ここで、暗号化アルゴリズム決定テーブル２１３が記憶する「クラック値」は、コンピュータによって実行可能な復号処理の合計回数を示す。例えば、「クラック値」には、「１０５〜６×１０５」、「６×１０５〜２×１０６」等のデータ値が格納される。
【００５１】
また、暗号化アルゴリズム決定テーブル２１３が記憶する「強度」は、対応するクラック値では復号不可能な暗号化の強度を示す。例えば、「強度」には、「Ｘ」、「Ｙ」等のデータ値が格納される。ここで、強度は、クラック値が大きくなるほど、暗号化の強度を高くするように設定される。例えば、強度は、「Ｘ」よりも「Ｙ」の方が高く、「Ｙ」よりも「Ｚ」の方が高い。
【００５２】
また、暗号化アルゴリズム決定テーブル２１３が記憶する「アルゴリズム」は、対応するクラック値では、復号不可能な強度を示す。例えば、「アルゴリズム」には、「Ａ」、「Ｂ」等のデータ値が格納される。
【００５３】
一例をあげると、図９に示す暗号化アルゴリズム決定テーブル２１３は、１０５〜６×１０５であると予測されるクラック値に対して、暗号化の強度が「Ｘ」であるアルゴリズム「Ａ」は、復号不可能であることを示す。すなわち、このアルゴリズム「Ａ」は、１０５〜６×１０５であると予測されるクラック値に対して、暗号化を解読させない。
【００５４】
図６に戻り、制御部２２０は、例えばＣＰＵ等であり、医用画像保管装置２００が実行する各種処理を制御する。例えば、制御部２２０は、特定部２２１と、決定部２２２と、暗号化部１２３と、記憶制御部１２４とを有する。
【００５５】
特定部２２１は、被検体の年齢に基づいて、該被検体の医用画像データを暗号化して保持する期間を特定する。例えば、特定部２２１は、医用画像データに含まれる付帯情報から被検体の年齢を特定する。そして、特定部２２１は、平均寿命テーブル２１１を参照して、平均寿命から被検体の年齢を減算した期間を、該被検体の医用画像データを暗号化して保持する期間に特定する。具体的には、特定部２２１は、被検体が日本人の４０歳の男性であると特定した場合、図７に示す平均寿命テーブル２１１から、保持年数を３９年（＝７９歳−４０歳）に特定する。
【００５６】
決定部２２２は、性能向上率予測テーブル２１２を参照し、特定部２２１により特定された期間内に向上しうる演算処理性能で復号不可能な強度を決定する。例えば、決定部２２２は、特定部２２１により特定された期間内における１年おきの経過年数ごとに予測される「クラック性能」と、この「クラック性能」を有するコンピュータによって演算可能な年数とを乗じた「クラック値」を経過年数毎に算出する。ここで、「演算可能年数」は、「保持する期間」から「経過年数」を減算した期間である。
【００５７】
保持する期間が「１０年」である場合の決定部２２２による処理動作の一例を説明する。決定部２２２は、図８に示す性能向上率予測テーブル２１２の例では、経過年数が０年である場合、演算可能年数を１０年であるとし、クラック値を１０×１０５であると算出する。また、決定部２２２は、経過年数が１年である場合、演算可能年数を９年であるとし、クラック値を９×２×１０６であると算出する。なお、決定部２２２は、同様にして、経過年数が９年までのクラック値を算出する。
【００５８】
続いて、決定部２２２は、算出したクラック値の中で最も値の大きいクラック値を選択する。そして、決定部２２２は、選択したクラック値において復号が不可能である暗号化の強度を暗号化アルゴリズム決定テーブル２１３から決定する。例えば、決定部２２２は、選択したクラック値が「３×１０６」であった場合、図９に示す暗号化アルゴリズム決定テーブル２１３を参照して、暗号化の強度を「Ｚ」に決定する。
【００５９】
暗号化部２２３は、決定部２２２により決定された強度に対応するアルゴリズムを用いて医用画像データを暗号化する。例えば、暗号化部２２３は、暗号化アルゴリズム決定テーブル２１３を参照し、決定部２２２により決定された暗号化の強度に対応するアルゴリズムを特定し、特定したアルゴリズムを用いて医用画像データを暗号化する。具体的には、暗号化部２２３は、暗号化の強度が「Ｚ」であると決定された場合、図９に示す暗号化アルゴリズム決定テーブル２１３から、暗号化のアルゴリズムを「Ｃ」に特定する。そして、暗号化部２２３は、アルゴリズム「Ｃ」を用いて医用画像データを暗号化する。
【００６０】
次に、図１０を用いて、第２の実施形態に係る医用画像保管装置２００による処理手順を説明する。図１０は、第２の実施形態に係る医用画像保管装置２００による処理手順の一例を示すフローチャートである。第２の実施形態に係る医用画像保管装置２００は、例えば、医用画像診断装置から医用画像データを受信した場合に、以下の処理を実行する。
【００６１】
特定部２２１は、医用画像データの付帯情報に含まれる生年月日から被検体の年齢を推定する（ステップＳ２０１）。そして、特定部２２１は、平均寿命と推定した年齢とに応じて保持する年数を特定する（ステップＳ２０２）。
【００６２】
続いて、決定部２２２は、特定した保持する年数について各年毎に性能向上率と演算可能年数との乗数からクラック値を算出する（ステップＳ２０３）。また、決定部２２２は、クラック値に基づいて暗号化の強度を決定する（ステップＳ２０４）。
【００６３】
そして、暗号化部２２３は、画像データを暗号化する（ステップＳ２０５）。また、記憶制御部１２４は、暗号化した医用画像データを暗号化医用画像データＤＢ１１４に格納させる（ステップＳ２０６）。
【００６４】
上述したように、第２の実施形態によれば、被検体の年齢に応じて医用画像データを保持する期間を決定し、決定した期間内における１年おきの経過年数ごとに予測される「クラック性能」と、この「クラック性能」を有するコンピュータによって演算可能な年数とを乗じた「クラック値」を経過年数毎に算出する。そして、「クラック値」が大きくなるほど、暗号化の強度を高くする。これにより、例えば、保持する年数内におけるクラック値が大きい場合、暗号化の強度を高くすることで復号にかかる時間が長くなり、保持する年数の間の復号が不可能となる。また、例えば、保持する年数内におけるクラック値が小さい場合、暗号化の強度を低くすることで医用画像データの暗号化及び復号化にかかる時間を低減できる。したがって、第２の実施形態によれば、被検体の年齢と、時間の経過に伴うコンピュータの演算処理性能の向上を予測した情報とに基づいて、適切な強度で医用画像データを暗号化することができる。
【００６５】
なお、性能向上率予測テーブル２１２は、所定の期間ごとに記憶する情報が更新されるようにしてもよい。そして、特定部２２１、決定部２２２及び暗号化部２２３は、以下の機能を有するようにしてもよい。例えば、決定部２２２は、所定の期間が経過した後に、更新された性能向上率予測テーブル２１２を参照し、特定部２２１により特定された期間内に向上しうる演算処理性能で復号不可能な強度を決定するようにしてもよい。
【００６６】
また、例えば、特定部２２１は、所定の期間が経過した後に、経過した期間と特定した保持する期間とに基づいて、被検体の医用画像データを暗号化して保持する期間を再度特定する。そして、決定部２２２は、所定の期間が経過した後に、更新された性能向上率予測テーブル２１２を参照し、特定部２２１により再度特定された期間内に向上しうる演算処理性能で復号不可能な強度を再度決定する。そして、暗号化部２２３は、決定部２２２により再度決定された強度に対応するアルゴリズムを用いて医用画像データを暗号化するようにしてもよい。
【００６７】
以上、説明したとおり、第１〜第２の実施形態によれば、適切な強度で医用画像データを暗号化することができる。
【００６８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６９】
１００  医用画像保管装置
１２０  制御部
１２１  特定部
１２２  決定部
１２３  暗号化部
【図１】
2014138212.tif 000003
【図２】
2014138212.tif 000004
【図３】
2014138212.tif 000005
【図４】
2014138212.tif 000006
【図５】
2014138212.tif 000007
【図６】
2014138212.tif 000008
【図７】
2014138212.tif 000009
【図８】
2014138212.tif 000010
【図９】
2014138212.tif 000011
【図１０】
2014138212.tif 000012